(57)【特許請求の範囲】
【請求項１】
扉に設けられたラッチ錠装置に連結される連結軸を介して前記扉の表面側及び裏面側にそれぞれ配される一対のレバーハンドルと、これらレバーハンドルの回動基部を受け入れる開口をそれぞれに形成した一対の受座とを備えたハンドル装置であって、
前記一対の受座のうちのいずれか一方の内部には、前記レバーハンドルの回動をロックするロック機構が設けられ、
いずれか一方の受座の表面側には、前記ロック機構のロック及び解除が押し操作によりなされる操作スイッチが設けられており、
該操作スイッチを設けていない他方の受座には、前記ロックの解除が押し込み操作によりなされる非常解除用操作部が、該他方の受座におけるレバーハンドルの戸先側に位置するように設けられており、
前記非常解除用操作部は、前記操作スイッチの操作に連動して、ロック状態において前記他方の受座の表面から突出する表示部を有していることを特徴とするハンドル装置。
【請求項２】
請求項１において、
前記表示部の側面のみにロック状態表示用の着色が施されていることを特徴とするハンドル装置。
【請求項３】
請求項１または２において、
前記非常解除用操作部は、前記他方の受座の表面よりも内方に向けて押し込まれることで、前記ロックの解除がなされる構造とされていることを特徴とするハンドル装置。
【請求項４】
請求項１乃至３のいずれか１項において、
前記ロック機構は、前記操作スイッチの押し操作に連動して前記連結軸の軸方向に概ね沿って移動するロック片と、該連結軸に取着されるとともに、前記操作スイッチのロック操作がなされた際に、前記ロック片に係合して該連結軸の回動を規制する回動規制係合部とを備えており、
前記非常解除用操作部には、その押し込み操作がなされる際に、前記ロック片を解除側に押動する解除ピンが連設されていることを特徴とするハンドル装置。
【請求項５】
扉パネルと、この扉パネルの戸先側端面から出没するラッチボルトを有したラッチ錠装置と、このラッチ錠装置に連結軸を介して連結された請求項１乃至４のいずれか１項に記載のハンドル装置とを備えていることを特徴とする開閉扉。
【発明の詳細な説明】
【技術分野】
【０００１】
本発明は、扉に取り付けられるハンドル装置、及びこれを備えた開閉扉に関する。
【背景技術】
【０００２】
従来、レバーハンドルの回動操作に連動させて、ラッチボルト（ラッチ部）を扉の端面から扉に内蔵したラッチ錠装置（錠前）内に没入させることで、開扉が可能となるラッチ錠を備えた扉が知られている。
このような扉としては、サムターンの操作に連動させて、ラッチ錠装置に設けられたデッドボルトを扉の戸先側端面から突出させ、扉枠のデッドボルト受け部にデッドボルトを挿入させてロックする構成としたロック機構を備えたものがある。
または、このようなデッドボルトを設けずに、サムターンの操作に連動させて、ラッチ錠装置内に設けたロック手段により、ラッチボルトの没入を規制することでロックする構成としたロック機構を備えたものも知られている。
【０００３】
上述のようなものでは、ラッチ錠装置内にサムターンの操作に連動するデッドボルトやロック手段を設ける必要があるため、これらに連結手段等を介して連結されるサムターンを、レバーハンドルの回動軸から比較的、離間させて設ける必要があった。そのため、レバーハンドルの回動基部を受け入れる開口を形成した受座に、サムターンを設ける場合は、該受座を比較的大きくする必要があり、レバーハンドルの大きさとのバランスが悪くなり、見栄えが悪いという問題があった。
一方、レバーハンドルの受座を、比較的小さくし、サムターンを受座とは別体として設ける構成としたものがある。
しかし、このようなものでは、扉の表面には、レバーハンドル用及びサムターン用の二つの加工孔が形成される。そのため、扉に加工孔を事前に形成している場合には、一つの加工孔のみ必要なロック機構を有さない空錠と、二つの加工孔を必要とするロック機構を有した間仕切り錠（または表示錠）とを、現場対応にて変更することが困難であるという問題もあった。
【０００４】
下記特許文献１では、座板（受座）の表面側に設けた摘みを回動操作することにより、この摘みに連設されたロック片が座板の内方空間をロック側と解除側とに移動し、このロック片がハンドルの角芯に結合された回動盤の突片を規制することで、レバーハンドルの回動操作を規制する構成としたロック機構を備えたラッチ錠が提案されている。
また、下記特許文献２では、座（受座）の表面側に設けた摘み（ロックレバー）を回動操作することで、座の内側空間に位置する摘みの回動軸に連設されたカム部が回動し、このカム部のカム作用により、レバーハンドル回動規制板が移動して、この回動規制板に形成された突部が、レバーハンドルの基端部に設けられた段部に係止し、レバーハンドルの回動操作を規制する構成としたロック機構を備えたレバーハンドル錠が提案されている。
また、この下記特許文献２に記載されたレバーハンドル錠では、上記摘みを設けた受座とは異なる側の他方の受座に、摘みの回動操作に連動して回動する非常用の解除操作部を設け、この解除操作部を他方側から回動操作することで、ロック解除が可能な構成としている。
これら各特許文献に記載されたものでは、受座の内側にロック機構を設け、受座の表面側にロック機構を操作する操作部を設けた構成としているので、上述のようなラッチ錠装置内の各部材とサムターンの回動操作とを連動させるための連結手段等を設ける必要がなく、上述のような問題をある程度は低減することができるものであった。
【先行技術文献】
【特許文献】
【０００５】
【特許文献１】特開平８−７４４６０号公報（図１及び図２参照）
【特許文献２】特開平８−２３２５１３号公報（図１〜図３及び図８参照）
【発明の概要】
【発明が解決しようとする課題】
【０００６】
しかしながら、上記各特許文献に記載されたものでは、受座を比較的、コンパクトにできるものではあるが、そのためにロック操作及び解除操作をするための摘み（ロックレバー）がレバーハンドルに近接した位置となり、この摘みを回動操作する際に操作性が悪いという問題があった。
また、このようなものでは、使用者の意図に反してロック機構のロックまたは解除がなされないよう、容易に摘みが回動しないように付勢手段により付勢する必要がある。そのため、このようなものでは、摘みの回動操作に要するトルクが大きくなり、上述のように、レバーハンドルに近い位置での操作となることと相俟って、操作性が悪くなる傾向があった。摘みを大きくすることで、操作性を向上させることも考えられるが、見栄えが悪くなるという問題があった。
また、上記特許文献２に記載されているように、他方側から非常用の解除操作部を操作してロック解除をする場合にも、例えば、ドライバーやコイン等で回動操作する必要があり、このような非常用の解除操作部の操作性も悪いという問題があった。
【０００７】
本発明は、上記実情に鑑みなされたものであり、ロック操作及び解除操作における操作性を向上させるとともに、ハンドル装置全体の見栄えを向上し得るハンドル装置、及びこれを備えた開閉扉を提供することを目的としている。
【課題を解決するための手段】
【０００８】
前記目的を達成するために、本発明に係るハンドル装置は、扉に設けられたラッチ錠装置に連結される連結軸を介して前記扉の表面側及び裏面側にそれぞれ配される一対のレバーハンドルと、これらレバーハンドルの回動基部を受け入れる開口をそれぞれに形成した一対の受座とを備えたハンドル装置であって、前記一対の受座のうちのいずれか一方の内部には、前記レバーハンドルの回動をロックするロック機構が設けられ、いずれか一方の受座の表面側には、前記ロック機構のロック及び解除が押し操作によりなされる操作スイッチが設けられており、該操作スイッチを設けていない他方の受座には、前記ロックの解除が押し込み操作によりなされる非常解除用操作部が、該他方の受座におけるレバーハンドルの戸先側に位置するように設けられており、前記非常解除用操作部は、前記操作スイッチの操作に連動して、ロック状態において前記他方の受座の表面から突出する表示部を有していることを特徴とする。
【０００９】
上記構成とされた本発明では、操作スイッチを押し操作すれば、ロック機構によりレバーハンドルの回動をロックすること、及びその解除をすることができるので、従来のような摘みを回動操作するものと比べて、操作性を向上させることができる。
また、レバーハンドルに比較的、近接した位置に操作スイッチを設けた場合でも、操作性が良いため、サムターンを設けるために受座を大きくしたりする必要がないこととも相俟って、操作スイッチを設けた受座を効率的にコンパクトにでき、見栄えが良い。
さらに、操作スイッチを設けていない他方の受座には、ロックの解除が押し込み操作によりなされる非常解除用操作部を設けているので、ドライバーやコイン等で回動操作する必要がある従来の非常解除用の操作部と比べて、操作性を向上させることができる。
さらにまた、ロック機構を受座の内部に設けているので、ラッチ錠装置にロック手段を設ける必要がなく、また、サムターンを別体として設けるための加工孔も必要がない。従って、ラッチ錠装置の種類に関わらず、現場対応にて、ロック機構を有さない空錠タイプの扉のハンドル装置を、本発明に係るロック機構を有したハンドル装置に変更することも可能となる。
【００１０】
また、非常解除用操作部がロック状態を表示する表示手段としても機能し、ロック状態を他方側から容易に識別できるものとなる。
【００１１】
また、非常解除用操作部の表示部がレバーハンドルによって隠蔽されることがなく、表示部を見易く、目立ち易くすることができる。
【００１２】
また、本発明においては、上記表示部を有した非常解除用操作部が、前記他方の受座の表面よりも内方に向けて押し込まれることで、前記ロックの解除がなされる構造とされたものとしてもよい。
このような構成とすれば、ロック状態において他方の受座の表面から突出する表示部を内方側に向けて押し込むだけでは、ロック解除がなされず、他方側からの安易なロック解除を防止することができる。
【００１３】
また、本発明においては、前記ロック機構を、前記操作スイッチの押し操作に連動して前記連結軸の軸方向に概ね沿って移動するロック片と、該連結軸に取着されるとともに、前記操作スイッチのロック操作がなされた際に、前記ロック片に係合して該連結軸の回動を規制する回動規制係合部とを備えたものとし、前記非常解除用操作部に、その押し込み操作がなされる際に、前記ロック片を解除側に押動する解除ピンを連設するようにしてもよい。
このような構成とすれば、ロック機構が連結軸廻りに配される構造となり、ロック機構を設けた受座を効率的にコンパクトにできる。また、押し操作される操作スイッチに連動して、ロック片が軸方向に概ね沿って移動する構造とされているので、従来のような摘みの回動に連動させてカム作用によって回動規制板等を移動させるようなものと比べて、効率的にロック機構の剛性を高めることができる。
また、非常解除用操作部による解除操作が解除ピンによるロック片の押動によりなされるため、解除機構を簡易な構成とできるとともに、軸方向に沿った直進の動きにより解除ができるため解除機構に損傷等が生じ難い。
【００１４】
また、前記目的を達成するために、本発明に係る開閉扉は、扉パネルと、この扉パネルの戸先側端面から出没するラッチボルトを有したラッチ錠装置と、このラッチ錠装置に連結軸を介して連結された前記いずれかのハンドル装置とを備えていることを特徴とする。
【発明の効果】
【００１５】
本発明に係るハンドル装置は、上述のような構成としたことで、ロック操作及び解除操作をするための操作部の操作性を向上させることができるとともに、ハンドル装置全体の見栄えを向上させることができる。
【図面の簡単な説明】
【００１６】
【図１】（ａ）、（ｂ）は、いずれも本発明の一実施形態に係るハンドル装置を備えた開閉扉の一例を模式的に示し、（ａ）は、図３（ｂ）におけるＹ方向から見た同開閉扉の概略要部拡大正面図、（ｂ）は、（ａ）におけるＸ１−Ｘ１線矢視に対応させた一部破断概略横断面図である。
【図２】（ａ）、（ｂ）は、いずれも同ハンドル装置のロック解除状態を示し、それぞれ図１（ａ）、（ｂ）に対応させた図である。
【図３】（ａ）、（ｂ）は、いずれも同開閉扉の施工状態の一例を模式的に示し、（ａ）は、概略正面図、（ｂ）は、（ａ）におけるＸ２−Ｘ２線矢視に対応させた一部破断概略横断面図である。
【図４】（ａ）、（ｂ）は、いずれも同ハンドル装置の一部分解概略斜視図である。
【図５】（ａ）〜（ｇ）は、いずれも同ハンドル装置の構成部材の一部を模式的に示す概略背面図（正面図）である。
【図６】（ａ）〜（ｃ）は、いずれも同ハンドル装置の一部分解概略縦断面図である。
【図７】（ａ）、（ｂ）は、いずれも同ハンドル装置の一部分解概略斜視図である。
【図８】（ａ）は、同ハンドル装置の一部材を模式的に示す概略背面図、（ｂ）は、同ハンドル装置の一部分解概略横断面図である。
【図９】同ハンドル装置の扉への組み付け例を模式的に示す一部破断概略斜視図である。
【図１０】（ａ）〜（ｃ）は、それぞれ同ハンドル装置におけるロック状態、ロック解除操作、及びロック解除状態を模式的に示す説明図である。
【図１１】（ａ）、（ｂ）は、いずれも同ハンドル装置を備えた開閉扉の他例を示し、それぞれ図１（ａ）、（ｂ）に対応させた図である。
【発明を実施するための形態】
【００１７】
以下に本発明の実施の形態について、図面に基づいて説明する。
図１〜図１１は、本実施形態に係るハンドル装置、及びこれを備えた開閉扉を示す説明図である。
尚、図１（ｂ）、図２（ｂ）、図１０（ａ）〜（ｃ）及び図１１（ｂ）では、一対のレバーハンドルの図示を省略している。
【００１８】
本実施形態では、図３に示すように、開閉扉１を、住居等の内壁３に開設された開口部４に取り付けられた一対の縦枠５，６及び上枠７からなる扉枠内に設置した例を示している。この開口部４は、例えば、個室や脱衣室、洗面所、トイレ等の内側空間９と、その外側空間８（例えば、リビングや廊下等）とを区画する内壁３に、出入口として設けられており、開閉扉１によって閉塞または開放される。
開閉扉１は、平板状の扉パネル５０と、この扉パネル５０に収容されたラッチ錠装置６０と、このラッチ錠装置６０に連結されたハンドル装置２とを備えている。
【００１９】
扉パネル５０は、図３（ｂ）に示すように、その吊元側端部が、扉連結部材としての蝶番５ａによって吊元側縦枠５に連結されて吊元側縦枠５に支持されており、蝶番５ａのヒンジピン等を開閉支点として開閉される。図例では、扉パネル５０を、手前開きの状態で、その左側端部を吊元とした左吊元（左勝手）として施工した状態を示している。
尚、図３（ｂ）において、符号５ｂ，６ｂは、各縦枠５，６に設けられた戸当り部材である。
この扉パネル５０の戸先側端面５３には、ラッチ錠装置６０を収容する収容凹部が設けられている。
また、この扉パネル５０の戸先側に寄った位置には、図９に示すように、ハンドル装置２を組み込むための加工孔５４が設けられている。この加工孔５４は、図９では、扉パネル５０の一方の面５２側のみを示しているが、他方の面５１側にも同様に設けられており、この加工孔５４は、ラッチ錠装置６０を収容する収容凹部に連通している。
【００２０】
ハンドル装置２は、図３（ｂ）に示すように、扉パネル５０を挟んで、その内側空間９側の面（内側面）５１側、及び外側空間８側の面（外側面）５２側に、それぞれ対向するように配置された一対のレバーハンドル３０，４０と、これら一対のレバーハンドル３０，４０の各回動基部３１，４１（図９参照）に配された一対の受座１０，２０とを備えている。
これら一対のレバーハンドル３０，４０は、連結軸４５を介して結合されており、この連結軸４５は、ラッチ錠装置６０に連結されている。
尚、ハンドル装置２の詳細については、後述する。
【００２１】
ラッチ錠装置６０は、図９に示すように、錠本体６１と、この錠本体６１の戸先側に設けられ、扉パネル５０の戸先側端面５３と略面一状に配された取付板６２と、この取付板６２に形成された開口から出没するラッチボルト６３とを有している。このラッチボルト６３は、略四角柱形状とされた連結軸４５が嵌挿される四角孔を有したハブ６４の回動に連動して、錠本体６１から突出（図１参照）、または錠本体６１内に没入する（図２参照）。
このハブ６４には、ラッチボルト６３を突出させる側に向けて回転モーメントが圧縮コイルバネ等の第１付勢手段によって付与されている。また、このハブ６４は、レバーハンドル３０，４０が図１（ａ）に示す通常状態よりも反開扉側に回動（図１（ａ）における反時計廻りの回動）しないように、ストッパー部材によって規制されている。
【００２２】
また、ラッチボルト６３は、錠本体６１内において、出没自在にスライド手段等で支持、案内されるとともに、突出方向に向けて圧縮コイルバネ等の第２付勢手段によって付勢されており、ハブ６４の回動に関わらず、没入方向への外力が付与されることで、この第２付勢手段の付勢力に抗して没入が可能となっている。
また、ラッチボルト６３は、回転可能とされており、扉パネル５０の左右勝手に応じて、その傾斜形状とされた滑り面が、内側空間９（図３（ｂ）参照）側に向くように変更可能とされている。
【００２３】
このような構成とされた開閉扉１では、ハンドル装置２が備える一対のレバーハンドル３０，４０の回動操作に伴い連結軸４５が回動し、これに連動してラッチボルト６３が出没する。
レバーハンドル３０，４０を図１（ａ）に示す上記通常状態から開扉側へ回動（図１（ａ）における時計廻りの回動）すれば、図２（ａ）に示すように、ラッチボルト６３が没入し、開扉が可能となる。一方、この状態で、レバーハンドル３０，４０を離して開扉側への回転モーメントを除荷すれば、ハブ６４に作用するラッチボルト６３を突出させる側への上記第１付勢手段による回転モーメントにより、レバーハンドル３０，４０が閉扉側へ回動（図２（ａ）における反時計廻りの回動）し、上記通常状態に復帰するとともに、ラッチボルト６３が突出する。
【００２４】
上記のように、ラッチボルト６３が突出した状態で、かつ、開閉扉１が、図３（ｂ）に示すように、閉扉された状態では、扉パネル５０の戸先側端面５３から突出したラッチボルト６３が戸先側端面５３に対面する戸先側縦枠６に形成されたラッチ受凹部６ａ内に挿し入れられて、開扉が規制される。
また、レバーハンドル３０，４０を回動操作することなく、開閉扉１を開扉状態から閉扉する際には、ラッチボルト６３の上記滑り面と、戸先側縦枠６の手前側縁部との作用により、ラッチボルト６３が上記した第２付勢手段の付勢力に抗して没入し、閉扉方向への開閉扉１の移動が可能となる。更なる閉扉方向への開閉扉１の移動を伴い、ラッチボルト６３がラッチ受凹部６ａに至れば、上記第２付勢手段による突出方向への付勢により、ラッチボルト６３がラッチ受凹部６ａ内に向けて突出し、閉扉が可能となる。
また、ラッチ受凹部６ａの周囲には、金属製等のラッチ受プレートが設けられている。
【００２５】
次に、開閉扉１が備えるハンドル装置２の詳細について説明する。
尚、以下では、扉パネル５０の内側面５１側に配されたレバーハンドル３０及び受座１０を、それぞれ内側レバーハンドル３０及び内側受座１０として説明し、扉パネル５０の外側面５２側に配されたレバーハンドル４０及び受座２０を、それぞれ外側レバーハンドル４０及び外側受座２０として説明する。
また、各受座１０，２０の説明における正面側（手前側（表面））及び背面側（背面）、並びに左右は、当該ハンドル装置２が扉パネル５０に取り付けられた状態で、扉パネル５０の内側面５１または外側面５２に対面した使用者を基準として説明する。
また、図５では、図５（ｃ）のみ正面から見た状態を示しており、その他は、いずれも背面図である。
【００２６】
一対のレバーハンドル３０，４０は、図３（ｂ）及び図９に示すように、略同様の外郭形状とされており、円柱形状とされた回動基部３１，４１と、各回動基部３１，４１に連成された角柱状部３２，４２と、各角柱状部３２，４２の端部から上記通常状態において吊元側に向けて水平状に延びる把持部３３，４３とを有している（図１（ａ）も参照）。
これら一対のレバーハンドル３０，４０のうち、一方の内側レバーハンドル３０の回動基部３１には、連結軸４５の先端部が嵌め入れられる四角穴３１ａが扉パネル５０に向けて開口して形成されている。また、この内側レバーハンドル３０の角柱状部３２には、四角穴３１ａに対して略直交して設けられ、この四角穴３１ａに連通した雌ねじ孔３２ａが形成されている。
【００２７】
これら一対のレバーハンドル３０，４０のうち、他方の外側レバーハンドル４０の回動基部４１には、扉パネル５０の厚さ方向に向けて延びる連結軸４５が設けられている。この連結軸４５は、外側レバーハンドル４０に一体的に形成されたものとしてもよく、または、上記した内側レバーハンドル３０と同様の四角穴４１ａ（図７（ａ）参照）に基端部を嵌め入れて外側レバーハンドル４０に固着するようにしてもよい。この連結軸４５には、図９に示すように、係止凹溝４５ａが軸方向に沿って形成されている。
また、これら一対のレバーハンドル３０，４０は、外側レバーハンドル４０に設けられた連結軸４５を、上記したラッチ錠装置６０のハブ６４の四角孔に嵌挿し、この連結軸４５の先端部を内側レバーハンドル３０の四角穴３１ａに嵌め入れ、雌ねじ孔３２ａに皿ねじ等の固定止具を螺入して、その固定止具の先端を、連結軸４５の係止凹溝４５ａに圧接することで、連結するようにしてもよい。
【００２８】
一対の受座１０，２０のうち、一方の内側受座１０は、図４に示すように、内側レバーハンドル３０の回動基部３１を受け入れるハンドル受開口部１１ａを形成した受座本体１１と、この受座本体１１に設けられ、レバーハンドル３０，４０の両方向への回動をロックし得るロック機構（スイッチベース１３、回動規制円盤１５）と、受座本体１１の表面側に配され、ロック機構１３，１５のロック及び解除が押し操作によりなされる操作スイッチ１２と、受座本体１１の背面開口をカバーする背面プレート１６とを備えている。
【００２９】
操作スイッチ１２は、図１（ａ）及び図５（ａ）に示すように、正面視（背面視）して左右に横長とされるとともに、内側レバーハンドル３０の把持部３３の一側部（図例では上側側部）に沿って、かつ、この内側レバーハンドル３０の回動基部３１に比較的近接して配されており、その外郭上部側の形状がレバーハンドル３０，４０の回動支点を円心とする略円弧形状とされる一方、外郭下部側の形状が略水平な形状とされた扁平な略楕円形状とされている。
この操作スイッチ１２の背面側の中央部位には、図６（ａ）に示すように、背面側に向けて膨出した膨出部が形成されており、この膨出部には、スイッチ軸１８が挿通される上下に貫通した軸孔１２ａが形成されている。この膨出部の上下には、段部がそれぞれ形成されており、この上側段部と、受座本体１１のスイッチ開口１１ｂの上側縁部に形成された段部とが係合する。また、下側段部に、スイッチベース１３の正面側上端部中央部位が係合する。
【００３０】
また、この操作スイッチ１２の背面側の左右には、図４（ａ）及び図５（ａ）に示すように、スイッチベース１３の正面側上端部の左右にそれぞれ形成された一対の嵌合突部１３ｂ，１３ｂ（図４（ｂ）及び図５（ｃ）参照）が嵌め込まれる一対の嵌合凹部１２ｂ，１２ｂが形成されている。
この操作スイッチ１２は、図１（ｂ）及び図２（ｂ）に示すように、軸孔１２ａに挿通されたスイッチ軸１８を回動支点として左右に揺動し、この回動支点を挟んで横並びに一対の操作部１２Ｌ，１２Ｒを配したシーソー型のスイッチとされている。本例では、後記するように、戸先側の左側操作部１２Ｌがロック操作部として機能し、吊元側の右側操作部１２Ｒが解除操作部として機能する。
このように、内側レバーハンドル３０の一側部に沿って、横並びにロック操作部１２Ｌと解除操作部１２Ｒとを配し、かつ一体的に形成された操作スイッチ１２とすることで、後記するロック操作時及び解除操作時における操作性をより向上させることができるとともに、操作部を簡易なものとできる。
【００３１】
また、この操作スイッチ１２は、図１０に示すように、いずれか一方の押し操作がなされた際には、その押し操作がなされた側の操作部の表面が受座本体１１の表面に略平行に配されて、僅かに突出した状態となり、かつ、他方の操作部が受座本体１１の表面から比較的、突出した状態となる。このようなシーソー型の操作スイッチ１２として左右に揺動し、非操作側が操作側よりも突出する構成とすることで、操作性をより向上させることができる。
【００３２】
ロック機構は、図１及び図２、図６に示すように、上記した操作スイッチ１２の押し操作に連動して、連結軸４５の軸方向に概ね沿って、かつ互いに逆側に移動する一対のロック片部１３Ｌ，１３Ｒを有したスイッチベース１３と、連結軸４５に取着されるとともに、一対のロック片部１３Ｌ，１３Ｒにそれぞれが係合し得る構成とされ、かつ、一方が係合したときには、他方が非係合となる一対の回動規制係合部１５Ｌ，１５Ｒを有した回動規制円盤１５とを備えている。
【００３３】
回動規制円盤１５は、図１、図４、図５（ｆ）及び図６（ａ）に示すように、手前側の大径円盤部１５ａとこの大径円盤部１５ａの背面側に同心状に連成された小径円盤部１５ｃとを有し、この小径円盤部１５ｃには、連結軸４５が嵌挿される四角孔１５ｄが形成されている。
また、大径円盤部１５ａの下方側には、正面視（背面視）して、下方に向けて拡開するような回動規制片部１５ｂが連成されており、この回動規制片部１５ｂの左右側部のそれぞれが、スイッチベース１３の一対のロック片部１３Ｌ，１３Ｒが係合し得る一対の回動規制係合部１５Ｌ，１５Ｒとなる。
【００３４】
また、この大径円盤部１５ａの中央には、内側レバーハンドル３０の回動基部３１（図４（ａ）参照）が嵌め込まれるとともに、小径円盤部１５ｃの四角孔１５ｄに連通する円形中空部１５ｅが形成されている。また、この大径円盤部１５ａの左右外周面には、ストッパー部１５ｆ，１５ｆがそれぞれ形成されている。このストッパー部１５ｆ，１５ｆが、図１（ｂ）及び図２（ｂ）に示すように、背面プレート１６の手前面及びスイッチベース１３の一対のロック片部１３Ｌ，１３Ｒの一方の背面に当接し、当該回動規制円盤１５の軸方向への移動が規制される。
【００３５】
スイッチベース１３は、図４、図５（ｃ）及び図６（ａ）に示すように、上端部中央に、スイッチ軸１８が挿通される上下に貫通した軸孔１３ａを形成しており、この上端部中央の背面側には、背面側に向けて突出し、かつ平面視して先細り状とされた係合突起１３ｄ（図１０も参照）が形成されている。
このスイッチベース１３の中央には、図５（ｃ）に示すように、上記した回動規制円盤１５の手前側部位の外郭形状に対応させた規制円盤受入開口１３ｃが形成されている。この規制円盤受入開口１３ｃは、操作スイッチ１２の左右への揺動に伴うスイッチベース１３の移動が可能な程度に、回動規制円盤１５の手前側部位の外郭形状よりも大きく形成されている。
この規制円盤受入開口１３ｃの左右の枠状の部位が、一対のロック片部１３Ｌ，１３Ｒとされ、これらロック片部１３Ｌ，１３Ｒのそれぞれ開口内周縁１３Ｌｃ，１３Ｒｃのいずれか一方が、回動規制円盤１５の一対の回動規制係合部１５Ｌ，１５Ｒのいずれか一方に係合して、これらに当接し、回動規制円盤１５の開扉側への回動を規制する。
【００３６】
このスイッチベース１３の背面側には、クッションバネ部材１４と、操作スイッチ１２の操作がなされる際に、節度感を付与する節度付勢手段を構成する節度バネ部材１７とが配されている。
クッションバネ部材１４は、図４、図５（ｄ）及び図６に示すように、中央に、スイッチ軸１８が挿通される上下に貫通した貫通孔１４ａが形成され、略水平に配された薄板状の上部片と、この上部片の背面側左右端部から下方に向けてそれぞれ延設された左右片部とを有した形状とされている。これら左右片部は、上下方向の略中央部位において背面側に向けて少許、屈曲されており、この屈曲された部位が、バネ片部１４Ｌ，１４Ｒとして機能する。これら一対のバネ片部１４Ｌ，１４Ｒは、それぞれ上記したスイッチベース１３における一対のロック片部１３Ｌ，１３Ｒの背面側に配置され、各バネ片部１４Ｌ，１４Ｒと、ロック片部１３Ｌ，１３Ｒとの間には、これら一対のバネ片部１４Ｌ，１４Ｒの弾性変形を許容する変形代としての隙間が形成されている（図１０も参照）。
【００３７】
節度バネ部材１７は、図４、図５（ｅ）及び図６（ａ）に示すように、略中央下部に、手前側に向けて突出し、かつ平面視して先細り状とされたバネ突条１７ａ（図１０も参照）を有し、このバネ突条１７ａの左右側面が、上記したスイッチベース１３の係合突起１３ｄの左右側面に当接乃至は弾接して配置される。
また、この節度バネ部材１７の上部側の左右には、受座本体１１に取り付けるための係合孔１７ｂ，１７ｃがそれぞれ形成されている。
上記した操作スイッチ１２並びに、スイッチベース１３、回動規制円盤１５、クッションバネ部材１４、及び節度バネ部材１７は、いずれもレバーハンドル３０，４０の回動支点を通る垂線を挟んで略左右対称の形状とされている。
【００３８】
上記した各部材を収容する受座本体１１は、図４、図５（ｂ）及び図６（ａ）に示すように、略有底円筒形状とされ、その底に対応する部位が表面側とされ、その表面側の略中央に、内側レバーハンドル３０の回動支点を円心とする円形状のハンドル受開口部１１ａが形成されている。このハンドル受開口部１１ａには、図４（ａ）に示すように、ハンドル基部ワッシャ１９を介在させて、内側レバーハンドル３０の回動基部３１が嵌め入れられる。
また、このハンドル受開口部１１ａの上方側部位には、操作スイッチ１２の形状に対応させた左右に横長のスイッチ開口１１ｂが形成されている。
【００３９】
このスイッチ開口１１ｂの背面側かつ下方側部位には、スイッチ軸１８が配置される軸受凹溝部１１ｆが設けられている。また、このスイッチ開口１１ｂの背面側には、円筒形状の内周面上端部から下方に向けて垂れ下る垂下部１１ｈが設けられている。
この垂下部１１ｈの左右方向中央には、隙間が形成されており、この隙間を挟さんで左右に分離された垂下部１１ｈの左右背面のそれぞれには、背面側に向けて突出し、節度バネ部材１７に形成された二つの係合孔１７ｂ，１７ｃ（図５（ｅ）参照）にそれぞれ挿通されて係合する係合突部１１ｉ，１１ｊが形成されている。
【００４０】
また、ハンドル受開口部１１ａの左右には、扉パネル５０を挟むようにして、当該内側受座１０と外側受座２０とを連結する皿ねじ等の固定止具Ｂ（図１（ａ）参照）のための一対の皿孔（ザグリ孔）１１ｃ，１１ｃが形成されている（図１（ｂ）も参照）。これら一対の皿孔１１ｃ，１１ｃは、レバーハンドル３０，４０の回動支点と略同じ高さ位置に設けられるとともに、該回動支点から等距離となるようにそれぞれ形成されている。つまり、これら一対の皿孔１１ｃ，１１ｃは、レバーハンドル３０，４０の回動支点と略同高さ位置で、この回動支点を挟んで左右対称に形成されている。
また、この受座本体１１の内周面の左右部位には、円筒形状の内周面から円心側に向けて張り出すように肉厚部が設けられており、上記した一対の皿孔１１ｃ，１１ｃがこの肉厚部を背面側に向けて貫通して形成されている。
【００４１】
この肉厚部における一対の皿孔１１ｃ，１１ｃの上方側部位には、受座本体１１に対して背面プレート１６を固定するための皿ねじ等の固定止具Ｂが螺入される雌ねじ穴１１ｄ，１１ｄがそれぞれ形成されている。
また、受座本体１１の内周面下端部には、背面プレート１６の下端部に設けられた係合突部１６ｅが係合する切欠凹所１１ｅが形成される一方、受座本体１１の上記した垂下部１１ｈの上端部位には、背面プレート１６の上端部に手前側に向けて突出するように設けられた係合突片１６ｇが嵌め入れられる係合凹所１１ｇが形成されている（図５（ｇ）及び図６（ｃ）も参照）。
尚、受座本体１１の大きさは、例えば、内装用扉に設ける場合には、外周径が４０ｍｍ〜７０ｍｍ程度、厚み（扉パネル５０の厚さ方向と同方向の厚み）が１０ｍｍ〜３０ｍｍ程度の比較的、コンパクトなものとしてもよい。
【００４２】
背面プレート１６は、図４、図５（ｇ）及び図６（ａ）に示すように、正面視（背面視）して、最外周輪郭が略円形状とされており、上記した受座本体１１の円筒形状の中空部内に嵌め込まれる大きさとされている。
この背面プレート１６の中央には、上記した回動規制円盤１５の小径円盤部１５ｃが挿通される円盤開口１６ａが形成されている。
この円盤開口１６ａの左右には、後記する解除ピン２３（図１（ｂ）参照）が挿通されるピン挿通孔１６ｂ，１６ｂが、上記した一対の皿孔１１ｃ，１１ｃと同様、左右対称にそれぞれ形成されている。
これらピン挿通孔１６ｂ，１６ｂのさらに外方側左右には、切欠部１６ｃ，１６ｃが形成されている。これら切欠部１６ｃ，１６ｃは、上記した受座本体１１に形成された一対の皿孔１１ｃ，１１ｃに整合する位置に形成されている。
また、これら切欠部１６ｃ，１６ｃの上方側部位には、背面プレート１６を、受座本体１１に対して固定する皿ねじ等の固定止具Ｂのための一対の皿孔１６ｄ，１６ｄが、上記した受座本体１１に形成された一対の雌ねじ穴１１ｄ，１１ｄに整合する位置に形成されている。
【００４３】
また、この背面プレート１６の円盤開口１６ａの上部及び下部は、それぞれ上方及び下方に向けて切欠が形成されており、下部側の切欠の下端部には、背面側に向けて屈曲された位置決め突片１６ｆが形成されている一方、上部側の切欠の上端部には、手前側に向けて屈曲された軸規制突片１６ｈが形成されている。この軸規制突片１６ｈと、上記した受座本体１１の軸受凹溝部１１ｆとにより、操作スイッチ１２、クッションバネ部材１４及びスイッチベース１３に挿通されたスイッチ軸１８が受座本体１１内において回動自在に軸支される。尚、スイッチ軸１８を回動自在に軸支する軸受部としては、このような態様に限られず、受座本体１１に枢支凹部等を適宜、設けるようにしてもよい。
また、背面プレート１６の上端部の左右には、それぞれ手前側に向けて屈曲された節度バネ規制突片１６ｉ，１６ｉが形成されている。これら節度バネ規制突片１６ｉ，１６ｉは、節度バネ部材１７の係合孔１７ｂ，１７ｃに、受座本体１１の垂下部１１ｈの係合突部１１ｉ，１１ｊが挿通されて、垂下部１１ｈに取り付けられた節度バネ部材１７の抜け止め手段として機能する。
【００４４】
上記した受座本体１１、スイッチベース１３及び回動規制円盤１５は、例えば、アルミニウムや亜鉛合金等の金属材料から鋳造成型されたダイキャスト製等としてもよい。また、スイッチベース１３と回動規制円盤１５とが少なくとも当接する部位における、これらのうちの少なくともいずれか一方には、適宜、鋼板等を付設して補強するようにしてもよい。
また、上記した操作スイッチ１２及びハンドル基部ワッシャ１９は、ポリアセタール等の合成樹脂材料から射出成型されたプラスチック製等としてもよい。
また、上記したクッションバネ部材１４及び節度バネ部材１７は、ステンレスやステンレス鋼、ニッケルクロム合金等の金属バネ材料から製されたものとしてもよい。
また、背面プレート１６は、適宜、鋼板等の金属材料から製されたものとしてもよい。
【００４５】
上記構成とされた内側受座１０の各部材は、図４及び図６に示すように、操作スイッチ１２を、受座本体１１の表面側からスイッチ開口１１ｂに挿し込むように配置し、その背面側の嵌合凹部１２ｂ，１２ｂに、クッションバネ部材１４を上端部に載置した状態のスイッチベース１３の嵌合突部１３ｂ，１３ｂを圧入して結合する。また、その操作スイッチ１２の軸孔１２ａ、クッションバネ部材１４の貫通孔１４ａ、及びスイッチベース１３の軸孔１３ａを整合させてスイッチ軸１８を挿通し、スイッチ軸１８を軸受凹溝部１１ｆに配置させる。
次いで、節度バネ部材１７を、上述のように受座本体１１の垂下部１１ｈに取り付ける。また、回動規制円盤１５の小径円盤部１５ｃを、背面プレート１６の手前側から円盤開口１６ａに挿通させた状態で、背面プレート１６を受座本体１１の背面開口をカバーするように嵌め込む。
さらに、背面プレート１６の一対の皿孔１６ｄ，１６ｄを介して、固定止具Ｂ，Ｂを受座本体１１に形成された一対の雌ねじ穴１１ｄ，１１ｄに螺入して組み付けるようにしてもよい。
【００４６】
一対の受座１０，２０のうち、他方の外側受座２０は、図７に示すように、外側レバーハンドル４０の回動基部４１を受け入れるハンドル受開口部２１ａを形成した受座本体２１と、この受座本体２１の表面側に開口した表示ボタン案内孔２１ｂに出没自在に収容される表示ボタン２２と、この表示ボタン２２の背面側に連設される解除ピン２３と、この解除ピン２３に外装される解除バネ２４と、一対のねじ柱２５，２５とを備えている。
【００４７】
表示ボタン２２は、図７（ｂ）に示すように、正面視した形状が縦長の扁平楕円形状とされた扁平楕円柱状体とされている。このように、表示ボタン２２の形状を、正面視して縦長にすることで、横長形状にしたものと比べて、表示ボタン２２と外側レバーハンドル４０の角柱状部４１との干渉を防止しながらも、表示ボタン２２を効率的に角柱状部４１に近接した位置に設けることができる。
また、この表示ボタン２２の側面の少なくとも後記するロック状態において露出する部位、及び表面（表示部２２ａ）のうちの少なくとも一方には、赤やオレンジ等のロック状態表示用の着色が施されている。
尚、表示部２２ａの側面のみに、ロック状態表示用着色を施し、表示部２２ａの表面（手前面）には受座本体２１の表面と同系色の着色を施すようにしてもよい。これによれば、受座本体２１の表面から当該表示部２２ａが突出していない状態（後記するロック解除状態）では、当該表示部２２ａと受座本体２１との違和感を低減でき、見栄えが良い。
【００４８】
また、この表示ボタン２２の背面側には、図８（ｂ）に示すように、解除ピン２３の手前端部２３ｂが圧入される嵌合穴２２ｂが形成されている。この表示ボタン２２は、上記操作スイッチ１２と同様、合成樹脂材料から製されたものとしてもよい。
この表示ボタン２２は、ロック状態において受座本体２１の表面から突出する表示部２２ａを有してロック状態を表示する手段として機能するとともに、後記するように非常解除時に押し込み操作がなされる非常解除用操作部として機能する。
また、この表示ボタン２２は、図１０（ｂ）に示すように、その表面が受座本体２１の表面と略面一状とされた状態から、背面側（内側空間９側）への更なる押し込み操作が手指等では困難な程度の外径とされている。
【００４９】
解除ピン２３は、ステンレスやステンレス鋼等の金属材料から製されており、図８（ｂ）に示すように、途中部位に大径規制部２３ｃを有した細長棒状とされ、その表示ボタン２２側の手前端部２３ｂの外周には、表示ボタン２２の抜け止め段部が形成されている。
また、この解除ピン２３は、その背面端部が、図１０に示すように、上記したクッションバネ部材１４のバネ片部１４Ｌ，１４Ｒの一方に当接する当接部２３ａとされている。この解除ピン２３は、後記するように、外側空間８側からロック解除操作をする際に、表示ボタン２２が背面側に向けて押し込まれて、その表面と受座本体２１の表面とが少なくとも略面一状とされた状態においては、ロック解除がなされないように、適宜の長さに形成されている。
【００５０】
受座本体２１は、上記した内側受座１０と同様、略有底円筒形状とされ、その底に対応する部位である表面側の略中央には、レバーハンドル３０，４０の回動支点を円心とする円形状のハンドル受開口部２１ａが形成されている。このハンドル受開口部２１ａには、ハンドル基部ワッシャ２９を介在させて、外側レバーハンドル４０の回動基部４１が嵌め入れられる。
また、上記した表示ボタン２２が収容される表示ボタン案内孔２１ｂは、表示ボタン２２の形状に対応させた形状とされ、レバーハンドル３０，４０の回動支点と略同高さ位置に設けられるとともに、ハンドル受開口部２１ａの左右側部位のいずれか側、すなわち、扉パネル５０に取り付けられた状態において、レバーハンドル３０，４０の戸先側に位置するように設けられている（図１も参照）。
この表示ボタン案内孔２１ｂの深さは、表示ボタン２２の形状に対応させて表示ボタン２２の全体を収容し得るとともに、表示ボタン２２が押し込まれた際に、その表面が受座本体２１の表面よりも内方（背面側）に位置するように設定されている。
【００５１】
受座本体２１の背面側には、図８に示すように、背面側に向けて延びる一対のねじ基部が形成されている。これら一対のねじ基部には、一対の雌ねじ穴２１ｃ，２１ｃが形成されている。これら一対の雌ねじ穴２１ｃ，２１ｃには、背面側に雌ねじ穴２５ｂ，２５ｂをそれぞれに形成した一対のねじ柱２５，２５の各手前端部に設けられた雄ねじ部２５ａ，２５ａが螺入されて、一対のねじ柱２５，２５が結合される。
尚、このように一対のねじ柱２５，２５を別体として設ける構成に代えて、受座本体２１の背面側に、これらと略同様のものを一体的に形成したものとしてもよい。
これら一対の雌ねじ穴２１ｃ，２１ｃは、ハンドル受開口部２１ａを挟んで、上記した内側受座１０の一対の皿孔１１ｃ，１１ｃと同様、左右対称に形成されるとともに、これら一対の皿孔１１ｃ，１１ｃに整合する位置に形成されている（図１（ｂ）も参照）。
【００５２】
また、一対の雌ねじ穴２１ｃ，２１ｃがそれぞれ形成された上記一対のねじ基部のうちの一方には、図８（ｂ）に示すように、解除ピン２３の大径規制部２３ｃの径に対応させた大径ピン案内孔２１ｅと、大径規制部２３ｃよりも小径とされた手前側部位の径に対応させた小径ピン案内孔２１ｄとが背面側から表面側に向けてこの順に上記した表示ボタン案内孔２１ｂに連通して形成されている。
また、解除バネ２４は、例えば、圧縮コイルバネ等からなり、解除ピン２３の大径規制部２３ｃよりも小径とされた手前側部位に外装されている。この解除バネ２４は、その手前側が大径ピン案内孔２１ｅと小径ピン案内孔２１ｄとの段部に規制され、その背面側が解除ピン２３の大径規制部２３ｃに規制される。
尚、この外側受座２０の受座本体２１の外周径は、意匠性の観点から上記した内側受座１０の受座本体１１の外周径と略同様にしてもよい。また、この外側受座２０の受座本体２１の厚みは、上述のような各種ロック機構等を設ける必要がないので、内側受座１０の受座本体１１に比べて、より薄くするようにしてもよい。
【００５３】
上記構成とされた外側受座２０は、受座本体２１の表示ボタン案内孔２１ｂに表示ボタン２２を収容し、手前側部位に解除バネ２４を外装した解除ピン２３を大径ピン案内孔２１ｅに挿しこみ、手前側部位を小径ピン案内孔２１ｄに挿通し、その手前端部２３ｂを表示ボタン２２の嵌合穴２２ｂに圧入して組み付けるようにしてもよい。
このように組み付けられた状態では、解除ピン２３は、解除バネ２４によって、背面側に向けて付勢されている。この解除バネ２４と、上記したクッションバネ部材１４の一対のバネ片部１４Ｌ，１４Ｒとは、これら一対のバネ片部１４Ｌ，１４Ｒのバネ定数が、解除バネ２４のバネ定数よりも大きくなるよう設定されている。
【００５４】
上記のようにそれぞれ組み付けられた内側受座１０及び外側受座２０は、図９に示すように、扉パネル５０を挟んで対向させて配置し、以下のように組み付けるようにしてもよい。
内側受座１０を、扉パネル５０の内側面５１側の加工孔に配置する。この際、内側受座１０に設けられた位置決め突片１６ｆを加工孔の下端縁に係合させて位置決めするようにしてもよい。
また、外側受座２０の一対のねじ柱２５，２５及び解除ピン２３を、外側面５２側から扉パネル５０に設けられた加工孔５４を介して、扉パネル５０に収容されたラッチ錠装置６０の貫通孔乃至は切欠部等に挿通し、内側面５１側に突出させ、内側受座１０に係合させる。すなわち、図１（ｂ）に示すように、内側受座１０の背面プレート１６のピン挿通孔１６ｂ，１６ｂの一方（図例では戸先側）に、解除ピン２３を挿通する。また、内側受座１０の背面プレート１６の切欠部１６ｃ，１６ｃ（図５（ｇ）参照）を介して、一対のねじ柱２５，２５を、上記した受座本体１１の肉厚部に近接乃至は当接させて位置決めし、その各雌ねじ穴２５ｂ，２５ｂを、受座本体１１に設けられた一対の皿孔１１ｃ，１１ｃに整合させる。
【００５５】
次いで、一対の皿孔１１ｃ，１１ｃに、皿ねじ等の固定止具Ｂ（図１（ａ）参照）を挿通し、一対のねじ柱２５，２５の各雌ねじ穴２５ｂ，２５ｂに螺入して、これら内側受座１０と外側受座２０とを連結し、扉パネル５０に対して取り付けるようにしてもよい。
また、このように、扉パネル５０に取り付けられた各受座１０，２０のハンドル受開口部１１ａ，２１ａに、上記したように、一対のレバーハンドル３０，４０の各回動基部３１，４１を嵌め入れ、一対のレバーハンドル３０，４０を、連結軸４５を介して結合することで、当該ハンドル装置２を、扉パネル５０に組み付けるようにしてもよい。
尚、内側受座１０と外側受座２０との連結は、上述のような皿ねじ等の固定止具Ｂ及び一対のねじ柱２５，２５を用いた態様に限られず、適宜の連結手段により連結するようにしてもよく、または、各受座を連結せずに、それぞれを個別に扉パネルに対して固定止具により固定するようにしてもよい。
【００５６】
次に、上記構成とされたハンドル装置２を備えた開閉扉１のロック状態、ロック解除操作、ロック解除状態及びロック操作並びに非常解除時におけるロック解除操作について、図１、図２及び図１０に基づいて説明する。
尚、以下では、開閉扉１が閉扉された状態を基準として説明する。
【００５７】
＜ロック状態＞
図１に示すように、操作スイッチ１２の左側操作部（ロック操作部）１２Ｌの押し操作がなされた状態では、この操作スイッチ１２にスイッチ軸１８を介して結合されたスイッチベース１３の左側ロック片部１３Ｌが、他方の右側ロック片部１３Ｒよりも背面側（外側空間８側）に位置し、回動規制円盤１５の左側回動規制係合部１５Ｌに係合している。
この状態では、レバーハンドル３０，４０の開扉側への回動がロックされた状態となる。すなわち、レバーハンドル３０，４０の連結軸４５に取着された回動規制円盤１５の開扉側への回動（図１（ａ）における時計廻りの回動）が、その左側回動規制係合部１５Ｌに係合したスイッチベース１３の左側ロック片部１３Ｌによって規制される。尚、この状態では、回動規制円盤１５の右側回動規制係合部１５Ｒとスイッチベース１３の右側ロック片部１３Ｒとは、非係合とされた状態であるので、回動規制円盤１５の反開扉側への回動（図１（ａ）における反時計廻りの回動）は、スイッチベース１３によっては規制されていないが、上述のように、ラッチ錠装置６０により、連結軸４５（実質的には、この連結軸４５が嵌挿されたハブ６４）の反開扉側への回動が規制されている。従って、このロック状態では、レバーハンドル３０，４０は、両方向への回動が規制された状態である。
また、この状態では、図１０（ａ）に示すように、操作スイッチ１２に結合されたスイッチベース１３の係合突起１３ｄの一側面が節度バネ部材１７のバネ突条１７ａの一側面に当接乃至は弾接しており、これにより、操作スイッチ１２が容易にロック解除側に回動しないよう規制されている。
【００５８】
また、この操作スイッチ１２にスイッチ軸１８を介して結合されたクッションバネ部材１４の左側バネ片部１４Ｌが、他方の右側バネ片部１４Ｒよりも外側空間８側に位置し、解除ピン２３の当接部２３ａに当接乃至は弾接している。
この状態では、解除ピン２３に外装された解除バネ２４が弾性変形を伴い圧縮された状態とされるとともに、解除ピン２３に連設された表示ボタン２２の表示部２２ａが、外側受座２０の受座本体２１の表面から突出した状態となる。このように、ロック状態において、外側受座２０の表面から突出する表示部２２ａを有した表示ボタン２２を設けることで、外側空間８側から、当該開閉扉１のロック状態を容易に識別することができる。特に、この表示ボタン２２の表示部２２ａを、上記のように着色しておくことで、ロック状態をより容易に識別することができる。また、表示ボタン２２は、受座本体２１の戸先側に設けられているので、外側レバーハンドル４０によって隠蔽されることがなく、当該表示ボタン２２の表示部２２ａを見易く、目立ち易くすることができる。さらに、本実施形態では、この表示ボタン２２が、非常解除用操作部としても機能するので、このような位置に設けることで、後記する非常解除操作時における操作性を向上させることができる。
【００５９】
＜ロック解除操作＞
上記ロック状態において、操作スイッチ１２の右側操作部（解除操作部）１２Ｒの押し操作がなされれば、図１０に示すように、操作スイッチ１２がスイッチ軸１８を回動支点として、ロック側から解除側に回動（図１０における反時計廻りの回動）する。この際、節度バネ部材１７の弾性変形を伴い、スイッチベース１３の係合突起１３ｄがバネ突条１７ａを乗り越えて解除側に移動する。
また、この操作スイッチ１２の移動に連動して、スイッチベース１３の左側ロック片部１３Ｌ及びクッションバネ部材１４の左側バネ片部１４Ｌが、概ね連結軸４５の軸方向に沿って、手前側（内側空間９側）に移動する。ここで、スイッチベース１３及びクッションバネ部材１４は、操作スイッチ１２と同様、スイッチ軸１８を回動支点として回動し、この回動により、これらスイッチベース１３の左側ロック片部１３Ｌ及びクッションバネ部材１４の左側バネ片部１４Ｌも同様に回動支点廻りに移動するが、その移動量は比較的、小さいため、このような移動も概ね連結軸４５の軸方向に沿った移動としている。
これらスイッチベース１３の左側ロック片部１３Ｌ及びクッションバネ部材１４の左側バネ片部１４Ｌの移動により、解除バネ２４の弾性復元を伴い、これに付勢された解除ピン２３が内側空間９側に向けて移動し、これに連設された表示ボタン２２が外側受座２０の表示ボタン案内孔２１ｂ内を没入方向に向けて移動する。
【００６０】
＜ロック解除状態＞
上記ロック解除操作により、ロック解除がなされた状態では、図２及び図１０（ｃ）に示すように、スイッチベース１３の右側ロック片部１３Ｒが、他方の左側ロック片部１３Ｌよりも外側空間８側に位置し、回動規制円盤１５の右側回動規制係合部１５Ｒに係合する。つまり、この状態では、左側ロック片部１３Ｌが、他方の右側ロック片部１３Ｒよりも内側空間９側に位置し、回動規制円盤１５の左側回動規制係合部１５Ｌと左側ロック片部１３Ｌとは非係合とされた状態となる。
この状態では、レバーハンドル３０，４０の連結軸４５に取着された回動規制円盤１５の左側回動規制係合部１５Ｌがスイッチベース１３の左側ロック片部１３Ｌによる規制を受けることなく、回動規制円盤１５の開扉側への回動（図２（ａ）における時計廻りの回動）が可能となり、開閉扉１の開扉が可能となる。
【００６１】
また、この状態では、図１０（ｃ）に示すように、スイッチベース１３の係合突起１３ｄの他側面が節度バネ部材１７のバネ突条１７ａの他側面に当接乃至は弾接しており、これにより、操作スイッチ１２が容易にロック側に回動しないよう規制されている。
また、他方の右側バネ片部１４Ｒよりも内側空間９側に位置されたクッションバネ部材１４の左側バネ片部１４Ｌに、解除ピン２３の当接部２３ａが当接乃至は弾接し、この解除ピン２３に連設された表示ボタン２２が没入した状態となり、外側空間８側から、当該開閉扉１のロック解除状態を識別することができる。
【００６２】
＜ロック操作＞
上記ロック解除状態において、操作スイッチ１２の左側操作部（ロック操作部）１２Ｌの押し操作、すなわち、ロック操作がなされる際は、上記ロック解除操作とは逆側に各部が移動する。
つまり、図１０に示すように、操作スイッチ１２がスイッチ軸１８を回動支点として、解除側からロック側に回動（図１０における時計廻りの回動）する。この際、節度バネ部材１７の弾性変形を伴い、スイッチベース１３の係合突起１３ｄがバネ突条１７ａを乗り越えてロック側に移動する。
また、この操作スイッチ１２の移動に連動して、スイッチベース１３の左側ロック片部１３Ｌ及びクッションバネ部材１４の左側バネ片部１４Ｌが外側空間８側に移動し、解除バネ２４の弾性変形を伴い、解除ピン２３が外側空間８側に向けて移動する。これにより、解除ピン２３に連設された表示ボタン２２が外側受座２０の表示ボタン案内孔２１ｂ内を突出方向に向けて移動する。
このロック操作により、上記ロック状態となる。
【００６３】
＜非常解除操作＞
一方、上記ロック状態において、外側空間８側からロック状態を解除する際には、表示ボタン２２をして以下のようにして行うことができる。
図１０（ａ）に示すように、ロック状態とされ、外側受座２０の受座本体２１の表面から突出した表示ボタン２２の表示部２２ａを、内側空間９側に向けて押し込む。この表示ボタン２２の押し込み操作により、解除ピン２３が内側空間９側に向けて移動する。
この解除ピン２３の移動により、クッションバネ部材１４の左側バネ片部１４Ｌが弾性変形する一方、スイッチベース１３は、その係合突起１３ｄが節度バネ部材１７により、ロック解除側への移動が規制された状態である。つまり、クッションバネ部材１４の各バネ片部１４Ｌ，１４Ｒの付勢力よりも、スイッチベース１３の係合突起１３ｄをロック側またはロック解除側に付勢して移動を規制する節度バネ部材１７のバネ突条１７ａの付勢力が大となるように設定されている。
【００６４】
図１０（ｂ）に示すように、表示ボタン２２の表面が、外側受座２０の受座本体２１の表面と略面一状となるまで、または受座本体２１の表面よりも僅かに内方側に位置するまでは、クッションバネ部材１４の左側バネ片部１４Ｌの上記した変形代により、解除ピン２３の移動が直接的にはスイッチベース１３に伝達されず、スイッチベース１３の左側ロック片部１３Ｌの少なくとも一部が、回動規制円盤１５の左側回動規制係合部１５Ｌに係合した状態である。
上記状態から、図１０（ｃ）に示すように、表示ボタン２２が、外側受座２０の受座本体２１の表面よりも更に内方（内側空間９側）に向けて押し込まれれば、解除ピン２３が更に内側空間９側に向けて移動し、節度バネ部材１７の弾性変形を伴いながら、スイッチベース１３の左側ロック片部１３Ｌがロック解除側に押動され、回動規制円盤１５の左側回動規制係合部１５Ｌと左側ロック片部１３Ｌとの係合状態が解除される。このような表示ボタン２２の更なる内方への押し込み操作は、上述のように、手指等では容易になされないように構成されているので、棒状のピン部材等により押し込み操作をするようにしてもよい。
また、スイッチベース１３の上記移動に連動して、操作スイッチ１２も同様に、ロック側から解除側に回動し、ロック解除状態、すなわち、解除操作部１２Ｒ側が押し操作された状態となる。
【００６５】
このように、非常解除用操作部としての表示ボタン２２の押し込み操作により、外側空間８側からロック解除が可能であるので、ドライバーやコイン等で回動操作する必要がある従来の非常解除用の操作部と比べて、操作性を向上させることができる。
また、ロック状態において外側受座２０の受座本体２１の表面から突出した表示ボタン２２の突出分、すなわち表示部２２ａを内方側に押し込むだけでは、ロック解除がなされない構成としているので、外側空間８側からの安易なロック解除を防止することができる。特に、本実施形態では、表示ボタン２２の押し込み操作がなされる際には、クッションバネ部材１４及び節度バネ部材１７の付勢力が作用しているので、安易なロック解除をより効果的に防止することができる。
さらに、表示ボタン２２の押し込み操作による解除操作が、解除ピン２３によるロック片部１３Ｌ，１３Ｒの一方の押動によりなされるため、解除機構を簡易な構成とできるとともに、軸方向に沿った直進の動きにより解除ができるため解除機構に損傷等が生じ難い。
【００６６】
以上のように、本実施形態に係るハンドル装置２によれば、操作スイッチ１２の押し操作により、ロック及び解除が可能であるので、従来のような摘み等を回動操作するものと比べて、ロック操作時及び解除操作時における操作性を向上させることができる。
また、本実施形態のように、操作スイッチ１２を、内側レバーハンドル３０に比較的、近接した位置に設けた場合でも、操作性が良いため、サムターンを設けるために受座を大きくしたりする必要がないこととも相俟って、操作スイッチ１２を設けた内側受座１０を効率的にコンパクトにでき、見栄えが良い。
【００６７】
さらに、一方の受座（図例では、内側受座１０）内に、ロック機構を構成する一対のロック片部１３Ｌ，１３Ｒ及び一対の回動規制係合部１５Ｌ，１５Ｒを設けているので、ラッチ錠装置にロック手段を設ける必要がなく、また、サムターンを別体として設けるための加工孔も必要がない。従って、ラッチ錠装置の種類に関わらず、現場対応にて、ロック機構を有さない空錠タイプの扉のハンドル装置を、本実施形態に係るロック機構を有したハンドル装置２に変更することも可能となる。
また、内側受座１０に、上記ロック機構を設けることで、外側受座２０を、比較的、薄くでき、コンパクトにできるので、外側空間８からの見栄えが良い。また、ロック機構を設けた内側受座１０の表面側に操作スイッチ１２を設けることで、例えば、外側受座２０にロック機構を設け、連結ピンやアーム等で操作スイッチとスイッチベースとを結合するようなものと比べて、剛性を効率的に向上させることができる。
【００６８】
さらにまた、本実施形態では、ロック機構を構成する一対のロック片部１３Ｌ，１３Ｒ及び一対の回動規制係合部１５Ｌ，１５Ｒを連結軸４５の廻りに配する構造としているので、ロック機構を設けた内側受座１０を効率的にコンパクトにできる。また、押し操作される操作スイッチ１２に連動して、一対のロック片部１３Ｌ，１３Ｒが軸方向に概ね沿って移動する構造とされているので、従来のような摘みの回動に連動させてカム作用によって回動規制板等を移動させるようなものと比べて、効率的にロック機構の剛性を高めることができる。
【００６９】
さらにまた、操作スイッチ１２をロック側（または解除側）に操作する際には、上述のように、スイッチベース１３の係合突起１３ｄが、節度バネ部材１７のバネ突条１７ａを乗り越えてロック側（または解除側）に移動する構成としているので、操作スイッチ１２を操作する使用者に対して、節度感を付与することができる。これにより、使用者に対してロック側または解除側への操作感を与えることができ、ロック側または解除側への操作の確実性を向上させることができる。
【００７０】
次に、本実施形態に係るハンドル装置２を備えた開閉扉の他例について、図１１に基づいて説明する。
尚、上記した例と異なる構成及び動作について主に説明し、同様の構成及び動作については、同一符号を付して、その説明を省略、或いは簡略に説明する。
【００７１】
図１１では、上記例の開閉扉１と異なり、扉パネル５０を、手前開きの状態で、その右側端部（図１１（ａ）では、内側空間９側から見た状態を示しているので、左右方向が逆となっている）を吊元として施工される右吊元（右勝手）の開閉扉１Ａを示している。
また、この開閉扉１Ａの左右勝手に応じて、ラッチ錠装置６０のラッチボルト６３を上記した例から１８０度回転させて、その滑り面を内側空間９側に向かせ、ラッチ錠装置６０を扉パネル５０に収容している。
【００７２】
また、この開閉扉１Ａの左右勝手に応じて、ハンドル装置２が扉パネル５０に取り付けられている。
ハンドル装置２の内側受座１０は、上記例と同様に取り付けられる一方、外側受座２０は、連結軸４５廻りに上記した例の取り付け状態を、１８０度回転させて取り付けられている（図１（ｂ）及び図１１（ｂ）参照）。また、レバーハンドル３０，４０は、上記例とは逆側に回動（図１１（ａ）における反時計廻りの回動）することで、開扉が可能とされている。
上記のように本実施形態では、内側受座１０の受座本体１１と、外側受座２０の受座本体２１とを固定止具Ｂによって連結するための一対の皿孔１１ｃ，１１ｃ及び一対のねじ柱２５，２５を、回動支点と略同高さ位置で、この回動支点を挟んで左右対称に形成しているので、一方の内側受座１０に対して、他方の外側受座２０を、連結軸４５廻りに１８０度回転させて連結することが可能となる。
【００７３】
また、外側受座２０の解除ピン２３が挿通される、内側受座１０のピン挿通孔１６ｂ，１６ｂも上記同様、左右対称にそれぞれ形成されているので、一方の内側受座１０に対して、他方の外側受座２０を、連結軸４５廻りに１８０度回転させて連結した際に、解除ピン２３を、いずれかのピン挿通孔１６ｂ，１６ｂに挿通することが可能となる。
加えて、本実施形態では、上述のように、内側受座１０に設けた操作スイッチ１２並びに、スイッチベース１３、回動規制円盤１５、クッションバネ部材１４、及び節度バネ部材１７を、いずれもレバーハンドル３０，４０の回動支点を通る垂線を挟んで略左右対称の形状としているので、上記例とは開扉側への回動が逆側とされた本例においても、ロック及びその解除が可能となる。
【００７４】
すなわち、図１１に示すロック状態では、操作スイッチ１２は、上記した例とは逆側の右側操作部１２Ｒがロック操作部となり、この押し操作がなされた状態である。つまり、操作スイッチ１２の各操作部１２Ｌ，１２Ｒは、レバーハンドル３０，４０の開扉側への回動をロックするロック操作部と、そのロックを解除する解除操作部とが、開閉扉１（１Ａ）の左右勝手に応じて反転する構成とされている。
この状態では、スイッチベース１３の右側ロック片部１３Ｒが、他方の左側ロック片部１３Ｌよりも背面側（外側空間８側）に位置し、回動規制円盤１５の右側回動規制係合部１５Ｒに係合しており、レバーハンドル３０，４０の開扉側への回動がロックされた状態となる。また、この状態では、上記同様、表示ボタン２２の表示部２２ａが外側受座２０の受座本体２１の表面から突出している。
【００７５】
一方、上記ロック状態を解除する際には、操作スイッチ１２の左側操作部（解除操作部）１２Ｌを押し操作または表示ボタン２２を上記同様に押し込み操作することで、ロック解除がなされる。
すなわち、図示は省略するが、ロック解除状態では、右側ロック片部１３Ｒが、他方の左側ロック片部１３Ｌよりも内側空間９側に位置し、回動規制円盤１５の右側回動規制係合部１５Ｒと右側ロック片部１３Ｒとが非係合となり、レバーハンドル３０，４０の開扉側への回動操作が可能となる。
このように、本実施形態に係るハンドル装置２によれば、開閉扉１（１Ａ）の左右勝手に応じて、いずれにも適用が可能となり、汎用性の高いハンドル装置となる。
また、本実施形態では、表示ボタン２２を収容する表示ボタン案内孔２１ｂを、レバーハンドル３０，４０の回動支点と略同高さ位置に設けている。この結果、開閉扉１（１Ａ）の左右勝手に応じて、外側受座２０を１８０度回転させて取り付けた際に、いずれの態様においても、表示ボタン２２が外側レバーハンドル４０の戸先側に位置することとなる。従って、当該表示ボタン２２の識別性、及び操作性を向上させることができる。
【００７６】
尚、本実施形態では、操作スイッチの各操作部を内側レバーハンドルの上側側部に沿って横並びに設けた例を示しているが、内側レバーハンドルの下側側部に沿わせて設けるようにしてもよい。この場合は、適宜、上記したロック機構を変形するようにすればよい。
また、ロック操作部と解除操作部とを一体的に形成した操作スイッチに限られず、別体としたものとしてもよい。この場合は、横並びに配置する態様に限られず、上下に異ならせた位置に設けるようにしてもよい。
さらに、本実施形態では、操作スイッチを、正面視して円形状とされた内側受座の受座本体の形状に対応させて、扁平な略楕円形状としているが、正面視して方形状のものとしてもよく、または他の形状としてもよい。
また、本実施形態では、操作スイッチを設けた内側受座に、ロック機構を設けた例を示しているが、ロック機構を外側受座に設けるようにしてもよい。この場合は、内側受座に設けた操作スイッチと、外側受座に設けたロック機構（スイッチベース等）とを、ピンやリンクアーム等で連結し、操作スイッチの押し操作にロック機構を連動させる態様としてもよい。
【００７７】
さらにまた、本実施形態では、表示ボタンを、正面視して縦長の扁平楕円形状としているが、横長の扁平楕円形状としてもよく、方形状やその他の形状としてもよい。この場合は、表示ボタンの形状に合わせて、適宜、表示ボタン案内孔を形成するようにすればよい。
また、本実施形態では、開閉扉の左右勝手に応じて、取り付けられた外側受座のいずれの態様においても、表示ボタンが外側レバーハンドルの戸先側に位置するようにした例を示しているが、上記通常状態とされた外側レバーハンドルによって、表示ボタンが少なくとも隠蔽されない位置に設ける態様としてもよい。この場合は、開閉扉の左右勝手のいずれにも適用が可能なように、外側受座を１８０度回転させて取り付けた際に、表示ボタンに連設された解除ピンの当接部が、クッションバネ部材を介してスイッチベースに当接し得るように、適宜、解除ピンまたはクッションバネ部材及びスイッチベース、背面プレート等を変形するようにしてもよい。
【００７８】
さらにまた、本実施形態では、上記した非常解除操作時に、表示ボタンの表示部を内方側に押し込むだけでは、ロック解除がなされないよう、解除ピンとスイッチベースのロック片部との間に、クッションバネ部材のバネ片部を介在させた構成としているが、表示ボタンとスイッチベースのロック片部との間に、表示ボタンの突出分のロック解除側への移動量を吸収し得る付勢部材等を設ける構成としてもよい。例えば、クッションバネ部材に代えて、解除ピンの当接部側に、スイッチベースのロック片部に当接乃至は弾接し得る圧縮コイルバネ等の付勢部材を設けたり、解除ピンの途中部位に、このような付勢部材を設けたりするようにしてもよい。
また、本実施形態では、表示ボタンの表示部が外側受座の受座本体の表面からロック状態において突出し、表示手段として機能する例を示しているが、ロック状態において、外側受座の受座本体の表面と略面一状にその表面が配置される、または表面が僅かに没入するものとしてもよい。この場合は、表示部としての機能は有さないが非常解除用の操作部として機能させることができる。また、この場合は、上記したようなクッションバネ部材の変形代を設ける必要がないので、クッションバネ部材を設けないようにしてもよい。
【００７９】
また、本実施形態では、開閉扉の左右勝手のいずれにも適用が可能なようにハンドル装置を構成した例を示しているが、左右勝手の一方にのみ適用が可能な構成としてもよい。この場合は、例えば、回動規制円盤を適宜、変形し、一対の回動規制係合部のうちの一方のみを設け、また、それに応じて、スイッチベースの一対のロック片部のうちの一方のみを設けるようにしてもよい。
さらに、本実施形態では、回動規制円盤の回動規制係合部に係合するロック片を、操作スイッチの背面側に結合され、操作スイッチとともにスイッチ軸を回動支点として回動するスイッチベースによって構成した例を示しているが、操作スイッチの押し操作に連動して連結軸の軸方向に概ね沿ってまたは軸方向に沿って移動し、回動規制円盤の回動規制係合部に係合するロック片としてもよい。この場合は、操作スイッチとロック片とを連結アーム等で連結し、ロック片が軸方向に沿って移動するように案内する案内部等を設けるようにしてもよい。
【００８０】
また、本実施形態では、各受座の受座本体の平面視における形状を、円形状としているが、方形状等、その他の形状としてもよい。
さらに、レバーハンドルの形状も図例のような把持部が角柱形状とされたものに限られず、丸棒形状とされたものや他の形状としてもよい。
さらにまた、レバーハンドルに結合される連結軸の形状は、略四角柱形状とされたものに限られず、ラッチ錠装置のハブの嵌挿孔に応じて、適宜の形状とすればよい。
また、本実施形態では、開閉扉として、一枚扉（シングルドア）を例示しているが、二枚扉からなる観音開きタイプのいわゆる親子ドアにも本実施形態に係るハンドル装置の適用が可能である。
さらに、本実施形態では、内装用の扉にハンドル装置を設けた例を示しているが、外装用の扉に本実施形態に係るハンドル装置を適用するようにしてもよい。
【符号の説明】
【００８１】
１，１Ａ        開閉扉
２              ハンドル装置
１０            内側受座
１１ａ          ハンドル受開口部（開口）
１２            操作スイッチ
１３Ｌ，１３Ｒ  一対のロック片部（ロック片、ロック機構）
１５Ｌ，１５Ｒ  一対の回動規制係合部（回動規制係合部、ロック機構）
２０            外側受座
２１ａ          ハンドル受開口部（開口）
２２            表示ボタン（非常解除用操作部）
２２ａ          表示部
２３            解除ピン
３０            内側レバーハンドル
３１            回動基部
４０            外側レバーハンドル
４１            回動基部
４５            連結軸
５０            扉パネル（扉）
５１            扉の内側面（扉の表裏面）
５２            扉の外側面（扉の表裏面）
５３            扉の戸先側端面
６０            ラッチ錠装置
６３            ラッチボルト
【図１】
0005484828.tif 000002
【図２】
0005484828.tif 000003
【図３】
0005484828.tif 000004
【図４】
0005484828.tif 000005
【図５】
0005484828.tif 000006
【図６】
0005484828.tif 000007
【図７】
0005484828.tif 000008
【図８】
0005484828.tif 000009
【図９】
0005484828.tif 000010
【図１０】
0005484828.tif 000011
【図１１】
0005484828.tif 000012